【手続補正書】
【提出日】平成16年9月28日(2004.9.28)
【手続補正１】
【補正対象書類名】明細書
【補正対象項目名】発明の名称
【補正方法】変更
【補正の内容】
【発明の名称】高圧放電灯
【手続補正２】
【補正対象書類名】明細書
【補正対象項目名】特許請求の範囲
【補正方法】変更
【補正の内容】
【特許請求の範囲】
【請求項１】
イオン化発光物質及び始動ガスを充填すべき内部空間が形成されるとともにこの内部空間の両端に開口部を有する非導電材料製の容器と、この容器の一方の端部における開口部の径とほぼ同一径を有する略円柱形状の電流導体及びこの電流導体に電気的に接続した電極を有する複合電極とを具え、
前記電流導体を、前記容器と同一材料の略円柱形状部材の少なくとも側面に金属及び非導電材料の混合物を被覆したもので形成し、
前記混合物中の金属部分がモリブデンを５０容量パーセント以上含み、前記混合物中の非導電材料部分が、前記容器と同一材料を５０容積パーセント以上を含み、
前記複合電極を、前記電極が前記内部空間に露出するとともに前記複合電極の一端が前記容器の外部に露出するように、前記一方の端部における開口部に挿入した後、前記容器及び複合電極を一体焼成したことを特徴とする高圧放電灯。
【請求項２】
前記容器の他方の端部における開口部の径より小さい径を有する略円柱形状の電流導体及びこの電流導体に電気的に接続した電極を有する他の複合電極を更に具え、
この他の複合電極の電流導体を、前記容器と同一材料の略円柱形状部材の少なくとも側面に金属及び非導電材料の混合物を被覆したもので形成し、
前記混合物中の金属部分がモリブデンを５０容量パーセント以上含み、前記混合物中の非導電材料部分が、前記容器と同一材料を５０容積パーセント以上を含み、
前記他の複合電極を、前記電極が前記内部空間に露出するとともに前記他の複合電極の一端が前記容器の外部に露出するように、前記他方の端部における開口部に挿入した後、前記電流導体と前記容器との隙間を、金属層又は金属及び前記容器と同一材料の混合物の層によって気密封止したことを特徴とする請求項１記載の高圧放電灯。
【請求項３】
前記電流導体を、前記容器と同一材料の円柱形状部材の少なくとも側面に金属及び非導電材料の混合物を被覆したもので形成し、前記電極を、前記電流導体の前記容器内部に露出した側の底面に溶接し又は金属若しくは金属と非導電材料との混合物によって接合したことを特徴とする請求項１又は２記載の高圧放電灯。
【請求項４】
前記複合電極が、前記内部に露出した側の底面が軸線に対して傾斜した略円柱形状の電流導体及びこの電流導体の前記容器内部に露出した側の底面に溶接し又は金属若しくは金属と非導電材料との混合物によって接合した電極を有し、
前記電流導体を、前記容器と同一材料の略円柱形状部材の少なくとも側面に金属と非導電材料との混合物を被覆したもので形成したことを特徴とする請求項１又は２記載の高圧放電灯。
【請求項５】
前記複合電極が、円柱形状の電流導体及びこの電流導体の前記容器内部に露出した側の側面に溶接し又は金属若しくは金属と非導電材料との混合物によって接合した電極を有し、
前記電流導体を、前記容器と同一材料の円柱形状部材の少なくとも側面に金属と非導電材料との混合物を被覆したもので形成し、前記電極の軸線を、これに対向すべき電極の軸線とほぼ一致させるようにしたことを特徴とする請求項１又は２記載の高圧放電灯。
【請求項６】
前記電流導体の少なくとも前記容器内部に露出した側の端部に丸みをつけ、前記電極を、金属又は金属と非導電材料との混合物によって前記電流導体の丸みをつけた端部に接合したことを特徴とする請求項１から５のうちのいずれか１項に記載の高圧放電灯。
【請求項７】
前記電極を、前記電流導体の前記容器内部に露出した側の底面と側面のうちの一方に金属又は金属と非導電材料との混合物によって接合し、その金属又は金属と非導電材料との混合物よりも融点の高い及び／又は耐蝕性の高い金属又は金属と非導電材料との混合物を、前記電極と電流導体との接合部及びその近傍に被覆したことを特徴とする請求項１から５のうちのいずれか１項に記載の高圧放電灯。
【請求項８】
前記電流導体の少なくとも前記容器内部に露出した側の端部に丸みをつけ、前記電極を、金属又は金属と非導電材料との混合物によって前記電流導体の丸みをつけた端部に接合し、その金属又は金属と非導電材料との混合物よりも融点の高い及び／又は耐蝕性の高い金属又は金属と非導電材料との混合物を、前記電極と電流導体との接合部及びその近傍に被覆したことを特徴とする請求項１から５のうちのいずれか１項に記載の高圧放電灯。
【請求項９】
イオン化発光物質及び始動ガスを充填すべき内部空間が形成され、この内部空間の両端に開口部を有し、少なくとも一方の開口部付近に金属又は金属と非導電材料との混合物を被覆した非導電材料製の容器と、前記内部空間に露出するように、金属又は金属と非導電材料との混合物によって前記開口部付近に接合した電極と、前記少なくとも一方の開口部とほぼ同一径を有する非導電材料製のプラグとを具え、
前記混合物中の金属部分がモリブデンを５０容積パーセント以上含み、前記混合物中の非導電材料部分が、前記容器と同一材料を５０容積パーセント以上含み、
前記プラグを前記少なくとも一方の開口部に挿入した後、前記容器及びプラグを一体焼成したことを特徴とする高圧放電灯。
【請求項１０】
イオン化発光物質及び始動ガスを充填すべき内部空間が形成され、この内部空間の両端に開口部を有し、少なくとも一方の開口部付近に金属又は金属と非導電材料との混合物を被覆した非導電材料製の容器と、前記内部空間に露出するように、金属又は金属と非導電材料との混合物によって前記開口部付近に接合した電極と、前記少なくとも一方の開口部よりも小さい径を有する非導電材料製のプラグとを具え、
前記混合物中の金属部分がモリブデンを５０容積パーセント以上含み、前記混合物中の非導電材料部分が、前記容器と同一材料を５０容積パーセント以上含み、
前記プラグを前記少なくとも一方の開口部に挿入した後、金属層又は金属と前記容器と同一材料との混合物によって気密封止したことを特徴とする高圧放電灯。
【請求項１１】
前記金属又は金属と非導電材料との混合物よりも融点の高い及び／又は耐蝕性の高い金属又は金属と非導電材料との混合物を、前記電極と前記開口部に被覆された混合物との接合部及びその近傍に被覆したことを特徴とする請求項１０又は１１記載の高圧放電灯。
【請求項１２】
イオン化発光物質及び始動ガスを充填すべき内部空間が形成されるとともにこの内部空間の両端に開口部を有する非導電材料製の容器と、この容器の一方の端部における開口部の径より小さい径を有する略円柱形状の電流導体及びこの電流導体に電気的に接続した電極を有する複合電極とを具え、
前記電流導体を、前記容器と同一材料の略円柱形状部材の少なくとも側面に金属及び非導電材料の混合物を被覆したもので形成し、
前記混合物中の金属部分がモリブデンを５０容量パーセント以上含み、前記混合物中の非導電材料部分が、前記容器と同一材料を５０容積パーセント以上を含み、
前記複合電極を、前記電極が前記内部空間に露出するとともに前記複合電極の一端が前記容器の外部に露出するように、前記一方の端部における開口部に挿入した後、前記電流導体と前記容器との隙間を、金属層又は金属及び前記容器と同一材料の混合物の層によって気密封止したことを特徴とする高圧放電灯。
【請求項１３】
円柱形状の非導電材料部材の少なくとも側面に非導電材料及び金属の混合物を被覆した電流導体と、この電流導体の底面に溶接され又は金属若しくは金属と非導電材料との混合物によって接合された電極とを有し、
前記混合物中の金属部分がモリブデンを５０容積パーセント以上含み、前記混合物中の非導電材料部分が、前記非導電材料部材と同一材料を５０容積パーセント以上含むことを特徴とする高圧放電灯用の複合電極。
【請求項１４】
少なくとも一方の底面が軸線に対して傾斜した略円柱形状の非導電材料部材の少なくとも側面に非導電材料と金属との混合物を被覆した電流導体と、この電流導体の傾斜した底面に溶接され又は金属若しくは金属と非導電材料との混合物によって接合された電極とを有し、
前記混合物中の金属部分がモリブデンを５０容積パーセント以上含み、前記混合物中の非導電材料部分が、前記非導電材料部材と同一材料を５０容積パーセント以上含むことを特徴とする高圧放電灯用の複合電極。
【請求項１５】
円柱形状の非導電材料部材の少なくとも側面に金属と非導電材料との混合物を被覆した電流導体と、この電流導体の側面に溶接され又は金属若しくは金属と非導電材料との混合物によって接合した電極とを有し、
この電極の軸線を、これに対向すべき電極の軸線に一致させるようにし、
前記混合物中の金属部分がモリブデンを５０容積パーセント以上含み、前記混合物中の非導電材料部分が、前記非導電材料部材と同一材料を５０容積パーセント以上含むことを特徴とする高圧放電灯用の複合電極。
【請求項１６】
前記電流導体の少なくとも一方の端部に丸みをつけ、前記電極を、金属又は金属と非導電材料との混合物によって前記電流導体の丸みをつけた端部に接合したことを特徴とする請求項１３又は１４記載の高圧放電灯用の複合電極。
【請求項１７】
前記電極を、前記電流導体の一方の側面に金属又は金属と非導電材料との混合物によって接合し、その金属又は金属と非導電材料との混合物よりも融点の高い及び／又は耐蝕性の高い金属又は金属と非導電材料との混合物を、前記電極と電流導体との接合部及びその近傍に被覆したことを特徴とする請求項１３から１５のうちのいずれか１項に記載の高圧放電灯用の複合電極。
【請求項１８】
前記電流導体の少なくとも一方の端部に丸みをつけ、前記電極を、金属又は金属と非導電材料との混合物によって前記電流導体の丸みをつけた端部に接合し、その金属又は金属と非導電材料との混合物よりも融点の高い及び／又は耐蝕性の高い金属又は金属と非導電材料との混合物を、前記電極と電流導体との接合部及びその近傍に被覆したことを特徴とする請求項１３又は１４記載の高圧放電灯用の複合電極。